(57)【特許請求の範囲】
【請求項１】
ＰＯＳ本体に対応して設置され、表示部とスキャナ部、および１人制／２人制表示制御部を有してバーコード情報を読み取ることができるＰＯＳ用バーコードスキャナにおいて、
前記表示部は前記バーコードスキャナの背面に備えられ、左右側部の少なくとも一方に設けられた支軸を中心に左右方向に回動可能であるものとし、
前記１人制／２人制表示制御部は、前記バーコード情報に基づく商品情報と前記商品情報以外の情報とを締めキーが操作されることによって切替えて前記表示部に表示させる１人制モードと、前記商品情報のみ前記表示部に表示させる２人制モードとを切替制御することを特徴とするＰＯＳ用バーコードスキャナ。
【請求項２】
請求項１に記載のＰＯＳ用バーコードスキャナと、
該ＰＯＳ用バーコードスキャナから取得したバーコード情報を用いて精算を行うＰＯＳ本体と、
を備えてなるＰＯＳ装置。
【発明の詳細な説明】
【０００１】
【発明の属する技術分野】
本発明は、例えばスーパーマーケット等の量販店等において、ＰＯＳ本体に対応して設置され、スキャナ部を有してバーコード情報を読み取ることができるＰＯＳ用バーコードスキャナに関するものである。
【０００２】
【従来の技術】
図１１は、従来のＰＯＳ用バーコードスキャナを備えたＰＯＳ装置を示す外観斜視図である。図１１に示すように、スーパーマーケット等の量販店等において、通常に用いられているＰＯＳ装置はカウンタ１上に固設され、顧客の購入品に付されたバーコードを読み取るスキャナ部を有するバーコードスキャナ（ＰＯＳ用バーコードスキャナ）２と、このバーコードスキャナ２で読み取られたバーコード情報を受取り、顧客の購入商品について精算を行うためのＰＯＳ本体３とを備えている。
【０００３】
このバーコードスキャナ２やＰＯＳ本体３には、顧客の購入商品について、バーコードスキャナで読み取られたバーコード情報における値段等をスキャン毎に表示するカスタマディスプレイとしての表示部４，５が設けられ、顧客等は、その表示部４，５における表示を視認して自己の購入商品の値段を確認することができる。なお、図１１において、バーコードスキャナ２のスキャナ部の側部２ａには、オペレータが種々の情報を入力することができる多項目キーボード６が設けられている。また、ＰＯＳ本体３には、オペレータ用ディスプレイ７及び多項目キーボード８、レシートを印字する印字部９が備えられている。
【０００４】
ところで、バーコードスキャナ２のスキャナ面の背面側２ｂは、顧客側通路に面しており、この部分（背面側２ｂ）を宣伝広告等の表示部に使用できれば、顧客に視認され易く、宣伝効果を高めることができる。このため、スキャナ面の背面には、「広告チラシ」や「お知らせ」等のポスター１０を貼るようにしている。
【０００５】
【発明が解決しようとする課題】
しかしながら、チラシ等の紙ベースの表示は、表示内容を変更する度に貼り替えを行わなければならず、面倒で人的作業を必要とし、コストがかかると共に、迅速な対応ができないという問題があった。
一方、バーコードスキャナ２の背面に設けられている表示部４は、カスタマディスプレイとして蛍光表示管（ＶＦＤ：Vacuum Fluorescent Display）により構成され、このため、スキャン商品の価格、名称、精算価格などの文字、英数字、かなや漢字等の文字情報の表示しかできず、絵柄などの画像を表示することができない。従って、ポスター等の「広告チラシ」や「お知らせ」等を表示するには適していない。
【０００６】
本発明は、上述した問題点を解決するためになされたものであり、画像を表示することができて、顧客への宣伝や報知事項に関する情報を低コストで容易に、且つ迅速に知らせることができると共に、また視覚的にも視認し易い画像表示部を備えたＰＯＳ用バーコードスキャナ及びＰＯＳ装置を提供することを目的としている。
【０００７】
【課題を解決するための手段】
上述した課題を解決するため、本発明は、ＰＯＳ本体に対応して設置され、表示部とスキャナ部を有してバーコード情報を読み取ることができるＰＯＳ用バーコードスキャナにおいて、前記表示部は前記バーコードスキャナの背面に備えられ、左右側部の少なくとも一方に設けられた支軸を中心に左右方向に回動可能であることを特徴とする。
【０００８】
なお、上記構成において、前記画像表示部の画像表示面が、その左右両側部の少なくとも一方側に形成される軸を支軸として角度調整可能とされる角度調整機構を備えることもできる。更に、前記画像表示部の画像表示面が、その上下両側部の少なくとも一方に形成される水平軸を支軸として角度調整可能とされる角度調整機構を備えることもできる。
【０００９】
以上の構成によれば、画像を表示することができて、顧客への宣伝や報知事項に関する情報を低コストで容易に、且つ迅速に知らせることができると共に、また視覚的にも視認し易い表示部を提供することができる。
【００１０】
なお、縦置き設置されるＰＯＳ用バーコードスキャナにおいては、その背面である顧客通路側の筐体平面部に表示部を取付けることがスペース的に容易となる。
【００１１】
また、本発明に係るＰＯＳ装置は、ＰＯＳ用バーコードスキャナと、該ＰＯＳ用バーコードスキャナから取得したバーコード情報を用いて精算を行うＰＯＳ本体とを備えてなるものである。
【００１２】
【発明の実施の形態】
以下、本発明の実施の形態を図面を用いて説明する。
実施の形態１．
図１は本発明の実施の形態１を示す外観斜視図、図２はバーコードスキャナの表示部近傍を示す拡大図、図３は角度調整機構の動作を示す図、図４はブロック構成図、図５は実施の形態の動作を示す概略図、図６はキーボードを示す図、図７は全体動作を示すフローチャートである。
実施の形態におけるＰＯＳ装置は、カウンタ１のオペレータ側にスキャナ面を有してバーコード情報を読み取ることができるバーコードスキャナ２Ａと、該バーコードスキャナ２Ａから取得したバーコード情報を用いて精算を行うＰＯＳ本体３Ａとを備えて構成される。
【００１３】
バーコードスキャナ２Ａは、縦置き設置型であり、その筐体側部（スキャナ部側部２ａ）にオペレータ側に向けて多項目キーボード６Ａが設けられ、図示しないスキャナ面の背面側に画像表示部１１が設けられている。画像表示部１１は、図２に示すように文字情報１２はもちろんのこと絵柄等の画像情報１３の表示（画像表示）を行うことができる例えば液晶ディスプレイから構成される画像表示面１１ａを有する。図１において、この画像表示部１１は長方形のパネル状をなし、その画像表示面１１ａを通路側に向けた状態が示されているが、図３に示すように、種々の軸を支軸として回転可能に設けられ、種々の方向に角度調整が可能である。
【００１４】
すなわち図３（ａ）では、長方形状をなす画像表示部の上辺側に設けられる水平軸１１ｂを回転軸として、その表示面の方向が図面上方側へ角度調整可能である。また、図３（ｂ）では、長方形状をなす画像表示部の左辺側（顧客の通路進入側）に設けられる垂直軸１１ｃを回転軸として、その表示面の方向が図面左側へ角度調整可能である。更に図３（ｃ）では、図３（ａ）（ｂ）の回転機構を共に取り入れており、長方形状をなす画像表示部の上辺側に設けられる軸１１ｄを回転軸として回転可能であると共に、左辺側に設けられる軸１１ｅを回転軸として回転可能とされ、従って、画像表示面１１ａの方向が上下、左右に角度調整可能である。
【００１５】
図４に示す構成について説明すると、バーコードスキャナ２Ａは、制御装置であるスキャナ用ＣＰＵ２１と、このＣＰＵ２１に接続された読み取り部（スキャナ部）２２、画像表示部１１、表示角度変更駆動部２３、及びＰＯＳ本体３Ａとの接続部であるＰＯＳインタフェイス２４を備えている。なお、画像表示部の表示角度は手動にて変更するようにしても良いことは言うまでもなく、この場合は表示角度変更駆動部２３は不要である。
【００１６】
また、図４におけるＰＯＳ本体３Ａは、制御装置であるＰＯＳ用ＣＰＵ３１と、このＣＰＵ３１に接続され、種々の指示を入力するためのキーボード部３２と、所定のデータを記憶する記憶部３３と、指示に基づいてドロアの開閉を行うためのドロア駆動部３４と、レシート等の印字を行う印字部９と、精算結果やスキャナにより読み取られた価格情報等を逐次表示する表示部５と、バーコードスキャナ２Ａとの接続部であるスキャナインタフェイス３５と、ＰＯＳ装置をオペレータ一人で使用する場合の１人制と、スキャナ操作と精算操作をそれぞれ別のオペレータにより行う２人制の二つの制御体系それぞれに基づいて、後述するように表示部５を切替制御する１人制／２人制表示制御部３６とを備えている。
【００１７】
１人制の場合の本実施の形態における動作の概略を図５を用いて説明する。１人制の場合と２人制の場合は、図６に示す２人制のキー８ａの押下により切り替えられる。そして、１人制の場合は、カウンタ内で１人のオペレータＭ１が操作を行い、顧客Ｍ２の購入した商品をバーコードスキャナ２Ａを用いて商品登録（読み取り）すると共に、その登録処理が終了するとレジ台（ＰＯＳ本体３Ａ）において精算を行う。尚、図５において、Ｃはバーコード情報が付された購入商品を入れたカゴを示している。図５（ａ）に画面表示例として示すように、商品登録時においては、表示画面１１ａに登録商品名及びその価格、並びに小計、合計を表示する。
【００１８】
一方、商品登録後の精算処理時においては、図５（ｂ）に示すように、表示画面１１ａは前の顧客Ｍ３に続く次の顧客Ｍ４のために所定の情報を表示する。この表示内容の切替は、キーボードからの所定の指示信号として、締めキー（預／合計）キー（図６：８ｂ）の操作において行われるようにすれば精算処理の開始と同時に、且つ自動的に表示を切り替えることができる。精算処理時の表示内容として、この例では「本日はポイントサービスデー」と表示されている。この他、本日の格安商品等の宣伝を行うようにしても良い。このように、１人制の場合は、精算時は精算中の顧客Ｍ３に対して、次の顧客Ｍ４は待ち状態となるので、その待ち時間に効果的な情報を表示するようにすることで、商取引の円滑化、宣伝効果等を高めることができる。
【００１９】
なお、図５（ｂ）において、画像表示部１１が次の顧客側に若干表示面が向けられるよう、表示画面の角度調整が行われているが、この角度調整はＰＯＳ本体のキーボードから指示するようにしても良いが、角度調整は行わず、図５（ａ）の状態、すなわち顧客通路に対して表示面の方向が直角となるように維持したままでもよい。また、図示しないが、２人制の場合は、キーボードからの所定の指示信号として、締めキー（預／合計キー）８ｂの操作においても表示が切り替わることなく、この場合は、次の顧客の商品登録処理を引き続き行うことができるので、その登録データを表示するようにする。一方、２人制の場合において、次の顧客の商品登録処理が所定時間以上無い場合は、自動的に表示内容が宣伝等に替わり、図５（ｂ）に示す状態となるようにしても良い。
【００２０】
以下、実施の形態の全体動作を図７に示すフローチャートに基づいて説明する。まず、商品登録があるか否かが判断され（ステップＳ１）、商品登録がある場合はバーコード情報に基づいた商品情報が表示される（ステップＳ２）。引き続き商品登録がある場合は（ステップＳ３，Ｙ）それが繰り返される。商品登録が無くなった場合は、締めキーの押下により（ステップＳ４）、ＰＯＳ本体の表示部において支払金額が表示される（ステップＳ５）。そして１人制か２人制の使用状態が判断され（ステップＳ６）、１人制の場合は、バーコードスキャナにおいて宣伝（コマーシャル）やお知らせ事項等の所定の情報が画像表示される（ステップＳ７）。一方、２人制の場合はステップＳ１に戻る。また、１人制及び２人制に限らず、商品登録が所定時間（待ち時間より長い時間）無い場合（ステップＳ８，Ｙ）は顧客がいないものと擬制してステップＳ７に進む。所定時間を越えない場合（ステップＳ８，Ｎ）は、商品情報の表示が維持される（ステップＳ２）。
【００２１】
実施の形態２．
以下、図８、図９を用いて実施の形態２について説明する。実施の形態２は、レジを休止している場合における本発明の適用例について説明する。
レジを休止している場合は、パネル状の画像表示部１１を図示のように通路に対して略直角になるよう回転させ、画像表示画面が通路進入側に向くように角度調整する。そして、表示内容としては、図９に示すように、「休止中  他のレジへお願いします」等の、休止に係る情報画面を顧客に対して視認し易くする。従来のＰＯＳ装置やＰＯＳ用バーコードスキャナでは、このような情報画面を表示することができないため、通路において鎖などを掛け渡し、顧客に対して休止中であることを知らせると共に、当該通路への顧客の侵入を防ぐようにしており、鎖などの掛け渡しや取り外しに、係員などの手間を要していたが、本発明によれば、このような手間がかからず、もって人件費等コスト削減を図ることができる。尚、このような表示は、キーボードのキー操作により行うようにすることができる。
【００２２】
実施の形態３．
以下、図１０を用いて実施の形態３について説明する。実施の形態１，２は縦置き型のバーコードスキャナについて説明したが、水平設置型のバーコードスキャナ２Ａ´においても、本発明は適用することができ、この場合も縦置き設置型と同様に、図１０に示すように、バーコードスキャナの筐体の通路側面に画像表示部の表示画面を設けるようにする。この場合も、画像表示部は、図３に示したと同様に左右、上下方向に角度調整可能とされる。
【００２３】
（付記１）ＰＯＳ本体に対応して設置され、表示部とスキャナ部を有してバーコード情報を読み取ることができるＰＯＳ用バーコードスキャナにおいて、
前記表示部は前記バーコードスキャナの背面に備えられ、左右側部の少なくとも一方に設けられた支軸を中心に左右方向に回動可能であることを特徴とするＰＯＳ用バーコードスキャナ。
（付記２）付記１に記載のＰＯＳ用バーコードスキャナにおいて、
前記画像表示部の画像表示面が、その左右両側部の少なくとも一方側に形成される軸を支軸として角度調整可能とされる角度調整機構を備えることを特徴とするＰＯＳ用バーコードスキャナ。
（付記３）付記１又は付記２に記載のＰＯＳ用バーコードスキャナにおいて、
前記画像表示部の画像表示面が、その上下両側部の少なくとも一方に形成される水平軸を支軸として角度調整可能とされる角度調整機構を備えることを特徴とするＰＯＳ用バーコードスキャナ。
（付記４）付記１乃至付記３のいずれかに記載のＰＯＳ用バーコードスキャナにおいて、
当該ＰＯＳ用バーコードスキャナは、縦置き設置されていることを特徴とするＰＯＳ用バーコードスキャナ。
（付記５）付記１乃至付記４のいずれかに記載のＰＯＳ用バーコードスキャナと、該ＰＯＳ用バーコードスキャナから取得したバーコード情報を用いて精算を行うＰＯＳ本体とを備えてなるＰＯＳ装置。
【００２４】
【発明の効果】
以上に詳述したように，本発明によれば、画像を表示することができて、顧客への宣伝や報知事項に関する情報を低コストで容易に、且つ迅速に知らせることができると共に、また視覚的にも視認し易い表示部を備えたＰＯＳ用バーコードスキャナ及びＰＯＳ装置を提供することができるという効果を奏する。
【図面の簡単な説明】
【図１】本発明の実施の形態１を示す外観斜視図である。
【図２】バーコードスキャナの表示部近傍を示す拡大斜視図である。
【図３】角度調整機構の動作を示す図である。
【図４】ブロック構成図である。
【図５】実施の形態の動作を図的に示す動作説明図である。
【図６】キーボードを示す図である。
【図７】全体動作を示すフローチャートである。
【図８】本発明の実施の形態２を示す外観斜視図である。
【図９】図８に示す表示部の拡大斜視図である。
【図１０】本発明の実施の形態３を示す外観斜視図である。
【図１１】従来の技術を示す図である。
【符号の説明】
２Ａ，２Ａ´  ＰＯＳ用バーコードスキャナ（バーコードスキャナ）、３Ａ  ＰＯＳ本体、１１  画像表示部、１１ａ  表示画面。
【図１】
0004060118.tif 000002
【図２】
0004060118.tif 000003
【図３】
0004060118.tif 000004
【図４】
0004060118.tif 000005
【図５】
0004060118.tif 000006
【図６】
0004060118.tif 000007
【図７】
0004060118.tif 000008
【図８】
0004060118.tif 000009
【図９】
0004060118.tif 000010
【図１０】
0004060118.tif 000011
【図１１】
0004060118.tif 000012